(57)【要約】      （修正有）【課題】構造及び組合わせを簡略化し未開封状態を維持することができる液体容器圧縮頭の防開封安全装置を提供する。【解決手段】新品の容器が消費者により勝手に開封されるのを防止する安全装置であり、容器のキャップ上部にある結合カバーとフック或いは嵌合することができる基座プレートを有し、基座プレートは上部に圧縮頭上に固定される１つの定位プレートを形成し、基座プレートと定位プレートとの間にシール線が設けられる。基座プレートは容器の結合カバーと、定位プレートは圧縮頭と、それぞれ固定結合され、上記それぞれが固定結合状態を維持することにより、圧縮頭の未開封状態を維持する。圧縮頭が容易に回転され、即ち、開封され、圧縮頭が上に上昇することを防止することができ、簡単に圧縮頭が開けられ、再び圧縮頭が上から押されることにより、内部の液体が流出する事態を防ぐ。【選択図】図２
0003115394.tif 000002
【実用新案登録請求の範囲】
【請求項１】
底部に１つのピストンロッドが挿入され、当該ピストンロッドは、容器のキャップ及び当該キャップ上端に設置される結合カバー内に嵌入された後に、当該キャップ下方のシリンダ内に挿入され、当該シリンダ底部との間に１つのばねが設置される容器の圧縮頭と、
下端縁部内側にフック部を有する基座プレートを含み、当該フック部は、前記結合カバーの外環部下端とフックにより結合され、当該基座プレートを前記結合カバー周辺に固定させ、当該基座プレート上部に１つの定位プレートが延設され、当該基座プレートと当該定位プレートとの間に、数個の破線孔が設けられ、シール線を成す防開封安全装置と、
を有し、
前記圧縮頭は前記ばねにより弾昇状態を維持することができ、また、前記圧縮頭及び前記ピストンロッドは上からの圧力に対し、反作用力及び復元力を具備し、前記圧縮頭の内径及び外径はそれぞれ互に嵌合できる二つのネジ山を有し、前記圧縮頭を下方に押し、前記圧縮頭の当該ネジ山が前記結合カバーのネジ山に嵌まり、前記ばねの反発力により押し上げられるのを止めることができ、また、前記ピストンロッドの下端は前記シリンダ底部の導入孔に設けられた１つの弁を押さえ、内部の液体が流出するのを防ぐことができ、前記圧縮頭の未開封の基本状態を成し、
前記防開封安全装置の前記シール線は比較的大きな外力を受け、断裂し、前記基座プレートと前記定位プレートは分離するが、前記圧縮頭と前記結合カバーとの結合状態は、未開封状態を維持しており、前記シール線が断裂していない状態で、即ち、前記基座プレートと前記定位プレートが連結状態にある時、前記圧縮頭が容易に、且つ勝手に開封されることを防ぐことができ、
前記圧縮頭が比較的大きな外力により開けられた時、前記シール線は断裂し、前記基座プレートと前記定位プレートは分離するが、前記基座プレートと前記定位プレートが分離した後は、連結状態を回復することはできない上に、前記基座プレート及び前記定位プレートはそれぞれ前記結合カバー、前記圧縮頭の外側に明らかに露出した状態となる為、簡単に容器の圧縮頭が開封された状態であることを識別することができる、
液体容器圧縮頭の防開封安全装置。
【請求項２】
底部に１つのピストンロッドが挿入され、当該ピストンロッドは、容器のキャップ及び当該キャップ上端に設置される結合カバー内に嵌入された後に、当該キャップ下方のシリンダ内に挿入され、当該シリンダ底部との間に１つのばねが設置される容器の圧縮頭と、
基座プレート下端に１つのリングを有し、当該リングにより前記結合カバーの外環部に当該基座プレートを嵌入可能であり、また、当該リングの下端内縁にフック部を有し、前記結合カバーの外環部下端にフックされ、当該リングが前記結合カバーの外環部より離脱するのを防ぐことができ、当該基座プレートの上部は１つの定位プレートが延設され、当該基座プレートと当該定位プレートとの間にシール線が設けられる防開封安全装置と、
を有し、
前記圧縮頭は前記ばねにより弾昇状態を維持することができ、また、前記圧縮頭及び前記ピストンロッドは上からの圧力に対し、反作用力及び復元力を具備し、前記圧縮頭の内径及び外径はそれぞれ互に嵌合できる二つのネジ山を有し、前記圧縮頭を下方に押し、前記圧縮頭のネジ山が前記結合カバーのネジ山に嵌まり、前記ばねの反発力により押し上げられるのを止めることができ、また、前記ピストンロッドの下端は前記シリンダ底部の導入孔に設けられた１つの弁を押さえ、内部の液体が流出するのを防ぐことができ、前記圧縮頭の未開封の基本状態を成し、
前記防開封安全装置の前記基座プレートは前記結合カバーの外環部と、前記定位プレートは前記圧縮頭と、それぞれ固定結合され、前記圧縮頭の未開封状態を維持し、前記圧縮頭が容易に開封されるのを防ぐことができ、前記圧縮頭が開封されると前記基座プレート及び前記定位プレートは分離し、元の状態に復元できない為、圧縮頭が開封されたかどうかを識別することができる、
液体容器圧縮頭の防開封安全装置。
【請求項３】
底部に１つのピストンロッドが挿入され、当該ピストンロッドは、容器のキャップ及び当該キャップ上端に設置される結合カバー内に嵌入された後に、当該キャップ下方のシリンダ内に挿入され、当該シリンダ底部との間に１つのばねが設置される容器の圧縮頭と、
基座プレートは全環状式設置であり、当該基座プレート下端内縁にフック部を有し、前記結合カバーの外環部下端にフックし、当該基座プレートが前記結合カバーの外環部より離脱するのを防ぐことができ、当該基座プレートの上部は１つの定位プレートが延設され、当該基座プレートと当該定位プレートとの間にシール線が設けられる防開封安全装置と、
を有し、
前記圧縮頭は前記ばねにより弾昇状態を維持することができ、また、前記圧縮頭及び前記ピストンロッドは上からの圧力に対し、反作用力及び復元力を具備し、前記圧縮頭の内径及び外径はそれぞれ互に嵌合できる二つのネジ山を有し、前記圧縮頭を下方に押し、前記圧縮頭のネジ山が前記結合カバーのネジ山に嵌まり、前記ばねの反発力により押し上げられるのを止めることができ、また、前記ピストンロッドの下端は前記シリンダ底部の導入孔に設けられた１つの弁を押さえ、内部の液体が流出するのを防ぐことができ、圧縮頭の未開封の基本状態を成し、
前記基座プレートは前記結合カバーの外環部と、前記定位プレートは前記圧縮頭と、それぞれ固定結合され、前記圧縮頭の未開封状態を維持し、前記圧縮頭が容易に開封されるのを防ぐことができ、前記圧縮頭が開封されると前記基座プレート及び前記定位プレートは分離し、元の状態に復元できない為、前記圧縮頭が開封されたかどうかを識別することができる、
液体容器圧縮頭の防開封安全装置。
【請求項４】
底部に１つのピストンロッドが挿入され、当該ピストンロッドは、容器のキャップ及び当該キャップ上端に設置される結合カバー内に嵌入された後に、当該キャップ下方のシリンダ内に挿入され、当該シリンダ底部との間に１つのばねが設置される容器の圧縮頭と、
基座プレート下端内縁にフック部を有することにより、前記結合カバーの外環部下端にフックし、当該基座プレートが前記結合カバーの外環部より離脱するのを防ぐことができ、当該基座プレートの上部は比較的大きな１つの定位プレートが延設され、当該基座プレートと当該定位プレートとの間にシール線が設けられ、当該定位プレートは上段に１つの径孔を有し、前記圧縮頭の圧出管に貫通され、前記圧縮頭との定位関係を成す防開封安全装置と、
を有し、
前記基座プレートは高周波熱結合或いは接着剤により前記結合カバーの外環部に固定結合され、前記基座プレートと前記結合カバーの固定関係を成し、前記圧縮頭の未開封状態を維持し、前記圧縮頭が容易に開封されるのを防ぐことができ、前記圧縮頭が開封されると前記基座プレート及び前記定位プレートは分離し、元の状態に復元できない為、圧縮頭が開封されたかどうかを識別することができる、
液体容器圧縮頭の防開封安全装置。
【請求項５】
前記基座プレートの高さは、前記圧縮頭と前記結合カバーとの境界線を超えない高さである
請求項1から4のいずれかに記載の液体容器圧縮頭の防開封安全装置。
【請求項６】
前記基座プレートと前記該定位プレートは、高周波熱結合により、それぞれ、前記結合カバー及び前記圧縮頭と一体化させる
請求項1から4のいずれかに記載の液体容器圧縮頭の防開封安全装置。
【請求項７】
前記基座プレートと前記該定位プレートは、接着剤により、それぞれ、前記結合カバー及び前記圧縮頭と一体化させる
請求項1から4のいずれかに記載の液体容器圧縮頭の防開封安全装置。
【考案の詳細な説明】
【技術分野】
【０００１】
本考案は液体容器圧縮頭の防開封安全装置に係り、特に、容器10キャップ11上部にある結合カバー12とフック或いは嵌合することができる基座プレート30を有し、基座プレート30は上部に圧縮頭20上に固定される１つの定位プレート32を形成し、基座プレート30及び定位プレート32のそれぞれが固定結合状態を維持することにより、圧縮頭20の未開封状態を維持することができ、圧縮頭20 が容易に回転され、即ち、開封され、圧縮頭20が上に上昇することを防止することができる液体容器圧縮頭の防開封安全装置に係るものである。
【背景技術】
【０００２】
現在、ローション、シャンプー及び洗剤などの液体が収められた容器の上部に、その液体を取り出すための液体容器圧縮頭が取り付けられて販売されている。この液体容器圧縮頭には、使用者が押圧するための圧縮頭が設けられている。
【０００３】
このような液体容器圧縮頭の圧縮頭は、簡単に開封されやすく、店の陳列棚では圧縮頭が開封され、上昇してしまっているものや、圧縮頭が再度押され、中の液体が流出しまっているものがよく見られる。
【０００４】
これを防ぐ為に、圧縮頭20及び圧縮頭20下方の結合カバー12に１対の相対的形状の環状物を増設し、２つの環状物の破線状固定の構造により、圧縮頭20と結合カバー12の防開封安全装置を成すものがあるが、構造が比較的複雑で、組み合わせの難易度が高いという問題がある。
【０００５】
更に、一旦開封され、圧縮頭20が上昇した後も、消費者或いは、店員により再び、圧縮頭20を下に押し、元の状態にすることも可能であり、消費者は容易に開封されたかを識別し難しい。
【０００６】
しいては開封済の商品（容器）を買ってしまうと言う可能性があり、未開封商品購入権益の保障までには至らず、又、消費者苦情問題を引き起こす問題となっている。
【考案の開示】
【考案が解決しようとする課題】
【０００７】
本考案の目的は、液体容器圧縮頭の防開封安全装置において、その構造及び組み合わせ難易度を簡略化し、且つ、圧縮頭未開封状態を維持することにある。
【０００８】
本考案の他の目的は、液体容器圧縮頭の防開封安全装置において、圧縮頭が開封された後に、容易に識別できる外観を実現することにより、消費者の未開封商品購入権益の保障を提供することにある。
【課題を解決するための手段】
【０００９】
上述した目的を達成するために、容器10のキャップ11上部にある結合カバー12とフック或いは嵌合することができる基座プレート30を有する。基座プレート30は上部に圧縮頭20上に固定される１つの定位プレート32を形成する。基座プレート30と定位プレート32との間にシール線33が設けられる。基座プレート30は容器10の結合カバー12と、定位プレート32は圧縮頭20と、それぞれ固定結合され、上記それぞれが固定結合状態を維持することにより、圧縮頭20の未開封状態を維持することがでる。圧縮頭20が容易に回転され、即ち、開封され、圧縮頭20が上に上昇することを防止することができ、簡単に圧縮頭20が開けられ、再び圧縮頭20が上から押されることにより、内部の液体が流出する事態を防ぐことができる。
【００１０】
一方、基座プレート30と定位プレート32との間のシール線33が破られ、圧縮頭20が開封されることにより、基座プレート30と定位プレート32は分離し、外観上その差は識別でき、消費者は未購買の商品（液体容器）が未開封ではない、即ち、開封済であることを知ることができる為、未開封の容器を選択することが可能となり、未開封の商品を購入する権益及び保障を消費者に提供することができる。
【考案の効果】
【００１１】
本考案は液体容器の圧縮頭20の未開封状態を維持することを目的とし、基座プレート30を容器10の結合カバー12にフック或いは嵌合させ、又、基座プレート30上端に定位プレート32を延設し、且つ、基座プレート30と定位プレート32のそれぞれを別々に結合カバー12と圧縮頭20に固定結合する。これにより、結合カバー12と圧縮頭20との未開封状態を維持することができ、圧縮頭20が消費者により容易に開封されるのを防ぐことができる。一旦、圧縮頭20が開封されると基座プレート30及び定位プレート32は分離し、元の状態に復元できない為、消費者は圧縮頭20が開封されたかどうかを識別することができ、未開封の商品を購入する権益及び保障を消費者に提供することができ、又、構造及び組み合わせも簡単であり、又、消費者の苦情を減らすことができ、産業利用価値及び実用性を具備する。
【考案を実施するための最良の形態】
【００１２】
次に、添付した図面を参照しながら、本考案の好適な実施形態を詳細に説明する。
【実施例１】
【００１３】
図１と図２は本考案の第一実施形態に係る圧縮頭の防開封安全装置の構造図と断面図である。図が示す如く、容器10の圧縮頭20の構造は、圧縮頭20底部に１つのピストンロッド21が挿入結合される構造である。該ピストンロッド21は容器10のキャップ11及びキャップ11上端に設置される結合カバー12内に嵌入された後、キャップ11下方のシリンダ13内に挿入される。シリンダ13底部と、圧縮頭20との間に１つのばねが設置され、該ばねにより圧縮頭20は弾昇状態を維持することができ、同時に、圧縮頭20及びピストンロッド21は上からの圧力に対し、反作用力及び復元力を具備する。圧縮頭20の内径及び外径は、それぞれ互に嵌合できるネジ山201と121を有し、圧縮頭20を下方に押すことにより、圧縮頭20のネジ山201が結合カバー12のネジ山121に嵌まり、圧縮頭20がばね（図示されていない）の反発力により押し上げられるのを止めることができ、同時に、ピストンロッド21の下端はシリンダ13底部の導入孔131に設けられた１つの弁（図に示していない）を押さえ、内部の液体が流出するのを防ぐことができる。
【００１４】
上記構成により本考案の圧縮頭20の未開封の基本状態をなし、圧縮頭20の未開封状態を維持し、容易に、且つ、勝手に開封されることを防ぐことができる。
【００１５】
本考案の防開封安全装置の構造は、主に１つの基座プレート30を有し、該基座プレート30の高さは圧縮頭20と結合カバー12との境界線を超えない高さである。基座プレート30は下端縁部内側にフック部31を有する。フック部31は結合カバー12の外環部122下端とフックで結合することができる構造により、基座プレート30を結合カバー12周辺に固定させることができる。基座プレート30上部に１つの定位プレート32が延設される。基座プレート30と定位プレート32との間に数個の破線孔331が設けられることにより、シール線33を成す。シール線33が比較的大きな外力を受けることにより、断裂し、基座プレート30と定位プレート32が分離するが、圧縮頭20と結合カバー12との結合状態は、未開封状態を維持する。高周波熱結合或いは接着剤により、基座プレート30と定位プレート32は、それぞれ、結合カバー12、圧縮頭20と一体化させることにより、断裂を回復させることができる。
【００１６】
上記構造によりシール線33が断裂していない状態で、即ち、基座プレート30と定位プレート32が連結状態にある時、圧縮頭20が消費者により容易に、且つ勝手に開封されることを防ぐことができる。
【００１７】
一方、圧縮頭20が比較的大きな外力により開けられた時、シール線33は断裂し、基座プレート30と定位プレート32は分離するが、一旦基座プレート30と定位プレート32が分離した後は、連結状態を回復することはできない上に、基座プレート30及び定位プレート32はそれぞれ結合カバー12、圧縮頭20の外側に明らかに露出した状態となる為、消費者は簡単に容器10の圧縮頭20が開封された状態であることを識別することができる。これにより、商品を購入する際の参考とすることができ、更に、未開封の商品を購入する権益を保障することができる。
【実施例２】
【００１８】
図３と図４は本考案の第二実施形態に係る圧縮頭の防開封安全装置の構造図と断面図である。図が示す如く、容器10の圧縮頭20、キャップ11、結合カバー12、シリンダ13、ピストンロッド21、ばね等のアセンブリの構造及び組み合わせに大きな変化はなく、異なる所は、基座プレート30下端に１つのリング34を有し、リング34により結合カバー12の外環部122に基座プレート30を嵌入設置することができ、同時に、リング34下端内縁にフック部31を有することにより、結合カバー12の外環部122下端にフックし、リング34が結合カバー12の外環部122より離脱するのを防ぐことができる。
【００１９】
又、基座プレート30の上部は第一実施形態と同じように、１つの定位プレート32が延設される。基座プレート30と定位プレート32との間にシール線33が設けられる。基座プレート30は結合カバー12の外環部122と、定位プレート32は圧縮頭20と、それぞれ固定結合され、圧縮頭20の未開封状態を維持することにより、圧縮頭20が容易に開封されるのを防ぐことができ、
一旦、圧縮頭20が開封されると基座プレート30及び定位プレート32は分離し、元の状態に復元できない為、消費者は圧縮頭20が開封されたかどうかを識別することができる。
【実施例３】
【００２０】
図５と図６は本考案の第三実施形態に係る圧縮頭の防開封安全装置の構造図と断面図である。図が示す如く、容器10のキャップ11、結合カバー12、シリンダ13、圧縮頭20、ピストンロッド21、ばね等のアセンブリの構造及び組み合わせに大きな変化はなく、異なる所は、基座プレート30は全環状式設置であり、基座プレート30下端内縁にフック部31を有することにより、結合カバー12の外環部122下端にフックし、基座プレート30が結合カバー12の外環部122より離脱するのを防ぐことができる。
【００２１】
又、基座プレート30の上部は第一実施例と同じように、１つの定位プレート32が延設される。基座プレート30と定位プレート32との間にシール線33が設けられる。基座プレート30は結合カバー12の外環部122と、定位プレート32は圧縮頭20と、それぞれ固定結合され、圧縮頭20の未開封状態を維持することにより、圧縮頭20が容易に開封されるのを防ぐことができる。
【００２２】
一旦、圧縮頭20が開封されると基座プレート30及び定位プレート32は分離し、元の状態に復元できない為、消費者は圧縮頭20が開封されたかどうかを識別することができる。
【実施例４】
【００２３】
図７と図８は本考案の第四実施形態に係る圧縮頭の防開封安全装置の構造図と断面図である。図が示す如く、容器10の圧縮頭20の構造は、圧縮頭20底部に１つのピストンロッド21が挿入結合される構造であり、該ピストンロッド21はキャップ11下方のシリンダ13内に挿入される。圧縮頭20とシリンダ13底部との間に１つのばねが設置される。キャップ11上端に結合カバー12が設置され、圧縮頭20が下に押されることにより、結合カバー12と圧縮頭20とが固定される。上記により圧縮頭20の未開封状態を構成する。基座プレート30下端内縁にフック部31を有することにより、結合カバー12の外環部122下端にフックし、基座プレート30が結合カバー12の外環部122より離脱するのを防ぐことができる。
【００２４】
また、基座プレート30の上部は比較的大きな１つの定位プレート32が延設される。基座プレート30と定位プレート32との間にシール線33が設けられる。定位プレート32は上段に１つの径孔321を有し、圧縮頭20の圧出管23に貫通されることにより、定位プレート32と圧縮頭20の定位関係を成す。且つ、基座プレート30は高周波熱結合或いは接着剤により結合カバー12の外環部122に固定結合されることにより、基座プレート30と結合カバー12の固定関係を成し、圧縮頭20の未開封状態を維持することにより、圧縮頭20が容易に開封されるのを防ぐことができる。
【００２５】
一旦、圧縮頭20が開封されると基座プレート30及び定位プレート32は分離し、元の状態に復元できない為、消費者は圧縮頭20が開封されたかどうかを識別することができる。
【００２６】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００２７】
【図１】本考案の第１実施形態における液体容器圧縮頭の防開封安全装置を示す構造図である。
【図２】本考案の第１実施形態における液体容器圧縮頭の防開封安全装置を示す断面図である。
【図３】本考案の第２実施形態における液体容器圧縮頭の防開封安全装置を示す構造図である。
【図４】本考案の第２実施形態における液体容器圧縮頭の防開封安全装置を示す断面図である。
【図５】本考案の第３実施形態における液体容器圧縮頭の防開封安全装置を示す構造図である。
【図６】本考案の第３実施形態における液体容器圧縮頭の防開封安全装置を示す断面図である。
【図７】本考案の第４実施形態における液体容器圧縮頭の防開封安全装置を示す構造図である。
【図８】本考案の第４実施形態における液体容器圧縮頭の防開封安全装置を示す断面図である。
【符号の説明】
【００２８】
１０  容器
１１  キャップ
１２  結合カバー
１２１  ネジ山
１２２  外環部
１３  シリンダ
１３１  導入孔
２０  圧縮頭
２０１  ネジ山
２１  ピストンロッド
２３  圧出管
３０  基座プレート
３１  フック部
３２  定位プレート
３２１  径孔
３３  シール線
３３１  破線孔
３４  リング
【図１】
0003115394.tif 000003
【図２】
0003115394.tif 000004
【図３】
0003115394.tif 000005
【図４】
0003115394.tif 000006
【図５】
0003115394.tif 000007
【図６】
0003115394.tif 000008
【図７】
0003115394.tif 000009
【図８】
0003115394.tif 000010